(57)【特許請求の範囲】
【請求項１】
コネクタの端子突出孔から外方に先端側を突出させて端子キャビティに収納された端子を、固着剤で端子キャビティ内に固着する際に端子の位置を固定する端子位置固定具であって、
端子突出孔の開口したコネクタの被着部に着脱自在に装着される装着部と、
前記装着部の前記端子突出孔と向かい合う面の周縁に沿って開口し、前記被着部の周壁が嵌入される挿入溝と、
前記装着部の前記挿入溝の形成面と反対側の面に開口し、前記挿入溝の内側に延びた端子固定凹部とを備え、
前記端子固定凹部の奥面には、前記挿入溝の形成面まで貫通し、前記端子突出孔から突出した端子を収容する複数の端子収容孔が開口し、
前記端子固定凹部の奥面の四隅には、前記挿入溝の形成面まで貫通した排気孔が開口し、
前記端子固定凹部の形成面には挿入溝の奥面まで貫通した排気孔が開口し、
前記端子収容孔は、収容した端子との間に間隙が生じる開口形状を有していることを特徴とする端子位置固定具。
【発明の詳細な説明】
【技術分野】
【０００１】
本発明は、コネクタの端子突出孔から外方に先端側を突出させて端子キャビティに収納された端子を、固着剤で端子キャビティ内に固着する際に端子の位置を固定する端子位置固定具に関する。
【背景技術】
【０００２】
従来、端子を固着剤で固定するコネクタとしては、下記の特許文献１に記載の樹脂充填コネクタが開示されている。このコネクタは、アライメント矯正部材及び端子ホルダを、相手方ハウジングへの装着口側からこの順でハウジングに挿着して備えている。アライメント矯正部材及び端子ホルダは端子の挿通孔を有しており、端子キャビティに収納された端子は、端子ホルダの挿通孔に基端側を、アライメント矯正部材の挿通孔に先端側をそれぞれ支持される。これにより、端子は、傾き等を抑えられて所定の位置に保たれ、樹脂で固着される。
【０００３】
【特許文献１】特開２００１−１２６８０２号公報
【発明の開示】
【発明が解決しようとする課題】
【０００４】
上記特許文献１に記載のコネクタでは、樹脂による端子の固着後にもアライメント矯正部材がハウジングに収納され続けることから、その分ハウジングのサイズが大きくなり、コネクタの設置スペースが制限される状況で用いるのが難しかった。このため、固着剤で固着する端子を位置決めする他の手段の提供が望まれていた。
【０００５】
本発明は、上記した点に鑑み、端子キャビティに収納された端子を固着剤で端子キャビティ内に固着する際に端子の位置を固定する端子位置固定具を提供することを目的とする。
【課題を解決するための手段】
【０００６】
このような目的を達成するために、本発明のコネクタは、コネクタの端子突出孔から外方に先端側を突出させて端子キャビティに収納された端子を、固着剤で端子キャビティ内に固着する際に端子の位置を固定する端子位置固定具であって、端子突出孔の開口したコネクタの被着部に着脱自在に装着される装着部と、前記装着部の前記端子突出孔と向かい合う面の周縁に沿って開口し、前記被着部の周壁が嵌入される挿入溝と、前記装着部の前記挿入溝の形成面と反対側の面に開口し、前記挿入溝の内側に延びた端子固定凹部とを備え、前記端子固定凹部の奥面には、前記挿入溝の形成面まで貫通し、前記端子突出孔から突出した端子を収容する複数の端子収容孔が開口し、前記端子固定凹部の奥面の四隅には、前記挿入溝の形成面まで貫通した排気孔が開口し、前記端子固定凹部の形成面には挿入溝の奥面まで貫通した排気孔が開口し、前記端子収容孔が、収容した端子との間に間隙が生じる開口形状を有していることを特徴とする。
【発明の効果】
【０００７】
本発明によれば、端子収容部が収容した端子を支持することから、端子を端子キャビティ内で精度よく位置決めして固着剤で固着することができる。
【発明を実施するための最良の形態】
【０００８】
以下、図面を参照して、本発明の最良の形態を説明する。
図１は、本実施形態の端子位置固定具２を用いて端子Ｔを固定されるコネクタ１を示す図であり、（ａ）は被着部１１側からの平面図，（ｂ）は（ａ）のＡ−Ａ線断面図である。図２は、端子位置固定具２を示す図であり、（ａ）は上方からの斜視図，（ｂ）は平面図である。図３は、端子位置固定具２が備える端子収容孔２３ｂを拡大して示す上方からの斜視図である。なお、以下の説明で用いる上下，前後，左右の各方向は説明に用いる各図に示している。この上下，前後，左右は説明のために記載したもので、実際の配置と異なってよいことはもちろんである。
【０００９】
図１に示すように、コネクタ１は、被着部１１内に先端側のタブ部Ｔ１を突出させて端子Ｔを取り付けられる。被着部１１の奥面には、端子キャビティ１３と連通した端子突出孔１２が複数配列されて開口している。端子突出孔１２には、端子キャビティ１３に収容された端子Ｔのタブ部Ｔ１が、下側から挿通される。同図に示す例では、端子突出孔１２は、略四角形の開口形状を有しており、被着部１１の奥面に碁盤目状に複数配列されている（図１（ａ）参照）。前後に並んだ各端子突出孔１２の間には、被着部１１の奥面に左右方向に延びて開口する固着剤注入孔１４が設けられている。固着剤注入孔１４は、端子固着用のエポキシ樹脂を端子キャビティ１３内に注入するための孔であり、端子キャビティ１３に連通している。
【００１０】
図２に示すように、端子位置固定具２のハウジング２１は、略四角ブロック体にその下面の周縁に沿って開口して上下方向に延びる挿入溝２２と、挿入溝２２の内側を下方に延びて上面に開口する端子固定凹部２３とを設け、挿入溝２２の外側を角筒状の外筒２１ａとし内側を角筒状の内筒２１ｂとした概略形状を有している。外筒２１ａの前壁及び後壁の左右の幅方向の中央部は、下端から上端部にかけてを略矩形状に切り欠いた形状を有している。ハウジング２１の前後に位置して左右に延びる挿入溝２２の奥部には、嵌合突部２２ａが設けられている（図４（ｂ）参照）。嵌合突部２２ａは、コネクタ１が備える被着部１１の周壁１１ａ（図１参照）に嵌め合わされて、挿入溝２２に周壁１１ａを挿入させたコネクタ１に端子位置固定具２を固定するためのものである。
【００１１】
図２に示すように、端子固定凹部２３は、略四角形の開口形状を有しており、平坦な奥面２３ａには端子収容孔２３ｂが複数開口している。端子収容孔２３ｂは、コネクタ１の備える端子突出孔１２と同様の配置態様で、端子固定凹部２３の奥面２３ａに略四角形状を呈して開口している。図３に示すように、端子収容孔２３ｂには、コネクタ１の端子突出孔１２から被着部１１内に突出した端子Ｔのタブ部Ｔ１が挿通される。端子収容孔２３ｂは、端子Ｔのタブ部Ｔ１の断面形状よりもやや大きな断面形状を有しており、端子収容孔２３ｂに挿通された端子Ｔとの間に間隙が設けられるようになっている。図２（ｂ）に示すように、端子固定凹部２３の奥面２３ａの四隅には、ハウジング２１の下面にかけて貫通する排気孔２４ａが開口している。排気孔２４ａは、端子位置固定具２を被着部１１に装着する際に被着部１１と内筒２１ｂとの間の間隙の空気を、端子位置固定具２の上方に排気するための孔である。
【００１２】
端子固定凹部２３を挟んだハウジング２１の上面の前縁及び後縁には、それぞれ２つの排気孔２４ｂが左右方向に並んで開口している。各排気孔２４ｂは、端子位置固定具２を被着部１１に装着する際に、挿入溝２２と周壁１１ａとの間の間隙の空気を、端子位置固定具２の上方に排気するための孔である。排気孔２４ｂは、略四角形の開口形状を有して、ハウジング２１の上面から挿入溝２２の奥面にかけてを貫通している。
【００１３】
ハウジング２１の前後の両面の上端部には、作業者がハウジング２１を保持し易くするための突出部２５が設けられている。突出部２５は、外筒２１ａの前後の両面の左右方向の中央部に位置しており、前側又は後側の外方に略四角ブロック状を呈して突出している。また、ハウジング２１の左右の両面には、作業者がハウジング２１を保持し易くするための突出部２６が上端部に、ハウジング２１の強度を向上させるためのコの字片２７が下端部に、それぞれ位置して設けられている。突出部２６は、外筒２１ａの左右の両面の前後方向の中央部に位置しており、左側又は右側の外方に略四角ブロック状を呈して突出している。コの字片２７は、外筒２１ａの左右の両面の前後方向の中央部に位置しており、左側又は右側の外方にコの字状を呈し、ハウジング２１の左右の各面とで略四角形の開口を形成している。各コの字片２７は、外筒２１ａの左右の両壁に形成された切欠部２１ａ１を跨ぐように形成されている。
【００１４】
次に、端子位置固定具２を用いてコネクタ１に端子Ｔを固定する方法について説明する。図４は、端子位置固定具２を用いたコネクタ１への端子固着方法を説明する図である。図４（ａ）に示すように、コネクタ１の端子キャビティ１３に下側から端子Ｔが挿入されると、端子Ｔのタブ部Ｔ１が端子突出孔１２から被着部１１内に突出する。このようにして端子Ｔの仮止めされたコネクタ１の固着剤注入孔１４に、被着部１１側からエポキシ樹脂を注入する。固着剤注入孔１４に注入されたエポキシ樹脂は、端子キャビティ１３内に充填される。
【００１５】
続いて、端子キャビティ１３にエポキシ樹脂を注入されたコネクタ１の被着部１１に、端子位置固定具２を下面側から装着する。図４（ｂ）に示すように、端子位置固定具２は、被着部１１の周壁１１ａを挿入溝２２に嵌入され、周壁１１ａを外筒２１ａと内筒２１ｂとの間に位置させ、外筒２１ａと嵌合突部２２ａとの間に周壁１１ａを嵌合させて被着部１１に装着される。端子位置固定具２が備える端子固定凹部２３の端子収容孔２３ｂには、端子Ｔのタブ部Ｔ１が挿通されている。端子Ｔは、図３に示すように、端子収容孔２３ｂの上端開口部からタブ部Ｔ１を突出させている。
【００１６】
端子位置固定具２を装着する際、被着部１１と内筒２１ｂとの間の間隙の空気は端子収容孔２３ｂ及び排気孔２４ａから、挿入溝２２と周壁１１ａとの間の間隙の空気は排気孔２４ｂから、それぞれ端子位置固定具２の上方に排出される。端子キャビティ１３に充填されたエポキシ樹脂が硬化してから、図４（ｃ）に示すように、端子位置固定具２を被着部１１から取り外して、コネクタ１への端子Ｔの固定が終了する。
【００１７】
本実施形態の端子位置固定具２によれば、装着部が被着部１１に装着されて端子突出孔１２と向かい合った端子収容孔２３ｂが、端子突出孔１２から突出したタブ部Ｔ１を収容してその側面を支持し、端子Ｔを端子キャビティ１３内で精度よく位置決めして固着剤で固着して、タブ部Ｔ１が傾く等したまま端子Ｔが固着されるのを防止することができる。
【００１８】
また、前記実施形態の端子位置固定具２によれば、収容したタブ部Ｔ１との間に間隙が生じる開口形状を端子収容孔２３ｂが有していることから、装着部を被着部１１に装着する際に、端子突出孔１２の開口面と装着部との間の空気が端子突出孔１２を通して端子キャビティ１３側に押圧されて、端子キャビティ１３内の固着剤が後方に押し出され、図５に端子の横断面で示す端子合わせ部Ｔ２の間隙Ｔ３へ固着剤が吸い上げられるのを防止できる。
【００１９】
上記実施形態では、端子収容孔２３ｂが端子固定凹部２３の奥面からハウジング２１の下面にかけてを貫通しており、端子Ｔのタブ部Ｔ１が端子収容孔２３ｂの上端開口部から上方に突出する構成を有していた場合について説明した。しかしながら、端子収容孔２３ｂに収納された端子Ｔのタブ部Ｔ１が、端子収容孔２３ｂの上端開口部から突出しなくてもよく、また、端子収容孔２３ｂが２１の下面に開口する凹部から構成されていてもよい。
【００２０】
また、端子Ｔの固着に用いる固着剤の種類は任意であり、エポキシ樹脂には限らない。端子収容孔２３ｂの開口形状は、収容したタブ部Ｔ１との間に間隙を生じさせて、端子突出孔１２の軸心に対して所定角度以前傾いたタブ部Ｔ１の側面を支持できるのであれば任意であり、前記実施形態での構成には限られない。
【００２１】
また、ハウジング２１の形状は、被着部１１に装着してコネクタ１に対する端子Ｔの位置を固定できるのであれば任意であり、前記実施形態での構成には限られない。また、上記実施形態では、装着部に排気孔２４ａ，２４ｂが設けられている場合について説明したが、排気孔２４ａ，２４ｂを備えない構成としてもよい。
【図面の簡単な説明】
【００２２】
【図１】本発明の一実施形態の端子位置固定具を用いて端子を固定されるコネクタを示す図であり、（ａ）は被着部側からの平面図，（ｂ）は（ａ）のＡ−Ａ線断面図である。
【図２】本発明の一実施形態の端子位置固定具を示す図であり、（ａ）は上方からの斜視図，（ｂ）は平面図である。
【図３】端子位置固定具が備える端子収容孔を拡大して示す上方からの斜視図である。
【図４】端子位置固定具を用いたコネクタへの端子固着方法を説明する図である。
【図５】端子が備える端子合わせ部の横断面である。
【符号の説明】
【００２３】
Ｔ          端子
Ｔ１        タブ部
１          コネクタ
１１        被着部
１２        端子突出孔
１３        端子キャビティ
１４        固着剤注入孔
２          端子位置固定具
２１        ハウジング（装着部）
２１ａ      外筒（装着部）
２１ｂ      内筒（装着部）
２２        挿入溝
２３        端子固定凹部
２３ａ      奥面
２３ｂ      端子収容孔
２４ａ      排気孔（空気排出孔）
２４ｂ      排気孔（空気排出孔）
【図１】
0005064268.tif 000002
【図２】
0005064268.tif 000003
【図３】
0005064268.tif 000004
【図４】
0005064268.tif 000005
【図５】
0005064268.tif 000006